(57)【要約】 【課題】  電子部品の保持状態を高めるとともに、その取出しを容易化した搬送用トレーを提供するとともに、斯かる搬送用トレーを用いて電子部品の収納及び取出しの容易化を実現した電子部品の収納・取出方法を提供すること。【解決手段】  部品本体部１０にリード部１２を備える電子部品（電解コンデンサ８）の搬送用トレー２であって、部品本体部を挿入する挿入部（挿入ポケット１８）を備えるとともに、リード部を支持する第１の支持部２０を備える第１のトレー４と、この第１のトレーに載置され、挿入部に挿入された部品本体部に載せる載置部（押え部２４）を備えるとともに、第１の支持部上のリード部に載せられる第２の支持部２６を備える第２のトレー６とを備え、第１及び第２のトレーを反転させて第２のトレーを下側、第１のトレーを上側に配置した際に、載置部に部品本体部が載置され、第２の支持部にリード部が支持される構成である。【選択図】        図１
2005138873.tif 000002
【特許請求の範囲】
【請求項１】
部品本体部にリード部を備える電子部品の搬送用トレーであって、
前記部品本体部を挿入する挿入部を備えるとともに、前記リード部を支持する第１の支持部を備える第１のトレーと、
この第１のトレーに重ねられて載置され、前記挿入部に挿入された前記部品本体部に載せられる載置部を備えるとともに、前記第１の支持部上の前記リード部に載せられる第２の支持部を備える第２のトレーと、
を備え、前記電子部品を収納して重ねられた前記第１及び第２のトレーを反転させて前記第２のトレーを下側、前記第１のトレーを上側に配置した際に、前記載置部に前記部品本体部が載置されるとともに、前記第２の支持部に前記リード部が支持される構成としたことを特徴とする電子部品の搬送用トレー。
【請求項２】
前記第２のトレーの載置部に前記部品本体部を支持するリブを備え、前記第２のトレーを下側に配置した際に前記部品本体を前記リブで支持させる構成としたことを特徴とする請求項１記載の電子部品の搬送用トレー。
【請求項３】
前記第１のトレーにおいて、前記第１の支持部に隣接して形成されたリード挿入部を備え、このリード挿入部に前記リード部が挿入されることを特徴とする請求項１記載の電子部品の搬送用トレー。
【請求項４】
部品本体部にリード部を備える電子部品の収納・取出方法であって、
第１のトレーの挿入部に前記部品本体部が挿入されるとともに、前記リード部を第１の支持部に支持させた後、前記第１のトレーに第２のトレーを重ねることにより、前記挿入部に挿入された前記部品本体部に前記第２のトレー側の載置部を設置するとともに、前記第１の支持部上の前記リード部を前記第２のトレー側の第２の支持部に載せて前記電子部品を収納し、
前記第２のトレーを下側に前記第１のトレーを上側にして配置することにより、前記第２のトレーの前記載置部に前記部品本体部が載せられるとともに、前記第２の支持部に前記リード部が支持され、この状態で前記第１のトレーを外すことにより、前記第２のトレー上の前記電子部品を取り出すことを特徴とする電子部品の収納・取出方法。
【発明の詳細な説明】
【技術分野】
【０００１】
本発明は、電解コンデンサ等の電子部品の搬送用トレー及びその収納・取出方法に関し、特に、搬送時に電子部品を保持するとともに、電子部品の取出しの簡易化を実現したものに関する。
【背景技術】
【０００２】
電解コンデンサ等の電子部品の保管や搬送には梱包材として搬送用トレーが用いられる。この搬送用トレーは合成樹脂や段ボール紙等で形成される。このような搬送用トレーに収容された電子部品は、搬送中の振動が緩和されるとともに、接触による損傷や破損を防止できるので、搬送用トレーは電子部品の製造時の信頼性を実装時まで維持させる上からも重要である。
【０００３】
このような搬送用トレーに関する技術には例えば、次のような特許文献が存在する。
【特許文献１】特開２００３−２００９５号公報
【発明の開示】
【発明が解決しようとする課題】
【０００４】
例えば、円柱状の部品本体の端面側にリード部を備える電解コンデンサ等の電子部品を収納する搬送用トレーでは、部品本体の半径部分を収納するための収納部が備えられている。このような深さを持つ収納部は、搬送時の振動等による位置ずれを防止し、安定した収納状態が維持される利点がある。部品本体を収納し、保持する部分が大きくなれば、その分だけ安定した収納状態が維持できる。
【０００５】
このような搬送用トレーから電子部品を取り出す場合には、収納状態の維持には有効であった収納部の形態が取出しを困難にするとともに、取出しのために部品本体に加えられた力によってリード線が傷つけられたり、折り曲げられたりするおそれがある。特に、リード部が部品本体の直径方向に屈曲させた形態の電子部品では、電子部品の取出し方向がリード部の屈曲方向によって規制を受け、取り出す際の力がリード部の屈曲部に過剰に応力を生じさせることになる。
【０００６】
そこで、本発明は、電子部品の保持状態を高めるとともに、その取出しを容易化した、電子部品の搬送用トレーを提供することを目的とする。
【０００７】
また、本発明の他の目的は、斯かる搬送用トレーを用いて電子部品の収納及び取出しの容易化を実現した電子部品の収納・取出方法を提供することにある。
【課題を解決するための手段】
【０００８】
上記目的を達成するため、本発明の電子部品の搬送用トレーは、部品本体部１０にリード部１２を備える電子部品（電解コンデンサ８）の搬送用トレー２であって、前記部品本体部を挿入する挿入部（挿入ポケット１８）を備えるとともに、前記リード部を支持する第１の支持部２０を備える第１のトレー４と、この第１のトレーに重ねられて載置され、前記挿入部に挿入された前記部品本体部に載せられる載置部（押え部２４）を備えるとともに、前記第１の支持部上の前記リード部に載せられる第２の支持部２６を備える第２のトレー６とを備え、前記電子部品を収納して重ねられた前記第１及び第２のトレーを反転させて前記第２のトレーを下側、前記第１のトレーを上側に配置した際に、前記載置部に前記部品本体部が載置されるとともに、前記第２の支持部に前記リード部が支持される構成である。
【０００９】
斯かる構成において、この搬送用トレーでは、電子部品を収納する状態（第１の状態）及び電子部品の取出状態（第２の状態）の各状態が想定される。第１の状態では第１のトレーが下側、第２のトレーが上側に重ねられた状態である。また、第２の状態では第１のトレーが上側、第２のトレーが下側に重ねられた状態で、第１の状態を反転させた状態である。そして、この第２の状態は、第１のトレーが外されて第２のトレーに電子部品が載置された状態である。
【００１０】
第１のトレーと第２のトレーは重ねられて電子部品を保持することが可能であり、この保持状態は部品本体部が第１のトレーの挿入部に挿入され、そのリード部が第１の支持部に支持される。そして、この状態で第２のトレーを第１のトレーに重ね合わせると、挿入部上の部品本体部に載置部が対応し、挿入部及び載置部で形成される空間内に部品本体部が保持される。このとき、第１の支持部に支持されているリード部は、第２のトレー側の第２の支持部で支持され、これら第１及び第２の支持部の間でリード部が保持される。
【００１１】
この状態で搬送用トレーを反転させ、第１及び第２のトレーの上下関係を逆にすると、第２のトレー側の載置部に部品本体部、第２の支持部にリード部が支持された状態となる。この状態で第１のトレーを第２のトレーから外すことにより、第２のトレー上の電子部品を容易に取り出すことができる。
【００１２】
上記目的を達成するためには、前記第２のトレーの載置部に前記部品本体部を支持するリブを備え、前記第２のトレーを下側に配置した際に前記部品本体を前記リブで支持させる構成としてもよい。斯かる構成により、第２のトレーを下側に配置した際に載置部に載せられる部品本体がリブで支持され、安定した載置状態が維持される。
【００１３】
上記目的を達成するためには、前記第１のトレーにおいて、前記第１の支持部に隣接して形成されたリード挿入部を備え、このリード挿入部に前記リード部が挿入される構成としてもよい。斯かる構成とすれば、第１のトレーが外され、第２のトレーが下側に設定されると、第１のトレー側のリード挿入部に挿入されていたリード部は、第２のトレー上に突出した状態となる。このような状態に維持された電子部品は第２のトレーから容易に取り出すことができ、リード部の損傷や変形等の発生を防止できる。
【００１４】
上記目的を達成するため、本発明の電子部品の収納・取出方法は、部品本体部１０にリード部１２を備える電子部品の収納・取出方法であって、第１のトレー４の挿入部（挿入ポケット１８）に前記部品本体部が挿入されるとともに、前記リード部を第１の支持部２０に支持させた後、前記第１のトレーに第２のトレー６を重ねることにより、前記挿入部に挿入された前記部品本体部に前記第２のトレー側の載置部（押え部２４）を設置するとともに、前記第１の支持部上の前記リード部を前記第２のトレー側の第２の支持部に載せて前記電子部品を収納し、前記第２のトレーを下側に前記第１のトレーを上側にして配置することにより、前記第２のトレーの前記載置部に前記部品本体部が載せられるとともに、前記第２の支持部に前記リード部が支持され、この状態で前記第１のトレーを外すことにより、前記第２のトレー上の前記電子部品を取り出す構成である。
【００１５】
既述したように、第１のトレーと第２のトレーは重ねられて電子部品を保持することが可能であり、この保持状態は部品本体部が第１のトレーの挿入部に挿入され、そのリード部が第１の支持部に支持されるが、この状態で第２のトレーを第１のトレーに重ね合わせると、挿入部上の部品本体部に載置部が対応し、挿入部及び載置部で形成される空間内に部品本体部が保持される。このとき、第１の支持部に支持されているリード部は、第２のトレー側の第２の支持部で支持され、これら第１及び第２の支持部の間でリード部が保持される。
【００１６】
そして、搬送用トレーを反転させ、第１及び第２のトレーの上下関係を逆にすると、第２のトレー側の載置部に部品本体部、第２の支持部にリード部が支持された状態となる。この状態で第１のトレーを第２のトレーから外すことにより、第２のトレー上の電子部品を容易に取り出すことができ、取出しの迅速化が図られる。
【発明の効果】
【００１７】
ａ  搬送用トレーの第１及び第２のトレーに電解コンデンサ等の電子部品を保持させて収納でき、その収納状態の安定化とともに、電子部品の取出し時には搬送用トレーを反転させて収納状態を第１のトレーから第２のトレーに変更することができ、リード部も第１のトレーから第２のトレーの支持部に載置状態が変更されるので、搬送用トレーから容易に電子部品を取り出すことができる。
【００１８】
ｂ  第１のトレーの第１の収納部に隣接して形成された凹部に挿入されていたリード部は、搬送用トレーの反転により、リード部が上方に反転するとともに、第１のトレーを第２のトレーから外すことで、リード部に損傷等を生じさせることなく、電子部品を搬送用トレーから容易に取り出すことができる。
【００１９】
ｃ  搬送用トレー内に電子部品が保持されるとともに、その取出し時には、搬送用トレーを反転させて、基板への実装時に手動又は移送手段で電子部品を容易に取り出すことができる。
【発明を実施するための最良の形態】
【００２０】
（第１の実施形態）
本発明の電子部品の搬送用トレー及びその収納・取出方法の第１の実施形態について、図１の（Ａ）及び（Ｂ）を参照して説明する。図１の（Ａ）及び（Ｂ）は搬送用トレー及び電子部品の収納状態を示す断面図を示している。
【００２１】
この搬送用トレー２には、第１のトレー４、第２のトレー６が設置され、これらトレー４、６は例えば、弾性を持つ合成樹脂等の成形体で構成されている。これらトレー４、６は説明の都合上、別符号を付して別体として説明しているが、両者は同一形状である。この搬送用トレー２は、第１の状態として例えば、図１の（Ａ）に示すように、トレー４を下側、トレー６を上側にする形態、第２の状態として例えば、図１の（Ｂ）に示すように、トレー６を下側、トレー４を上側にする反転形態があり、第１の状態｛図１の（Ａ）｝では、トレー４からトレー６を外すことにより、トレー４に電子部品として例えば、電解コンデンサ８を収納することができ、第２の状態｛図１の（Ｂ）｝では、トレー６からトレー４を外すことにより、トレー６上の電解コンデンサ８を容易に取り出すことができる。
【００２２】
この搬送用トレー２では、被収納・搬送物の一例としての電解コンデンサ８は円柱状の部品本体部１０を備えるとともに、その端面部に一対のリード部１２が設けられている。各リード部１２は、部品本体部１０の中心軸方向に突出する部分であるリード基部１４と、その中途部から直交方向に屈曲させたリード端部１６とを備えている。これらリード基部１４及びリード端部１６は、直線状である必要はなく、湾曲状であってもよい。
【００２３】
搬送用トレー２は、斯かる外観形態の電解コンデンサ８に対応しており、この実施形態では、トレー４の表面部には部品本体部１０を収納する１又は複数の挿入部として例えば、凹部からなる複数の挿入ポケット１８が形成されているとともに、この挿入ポケット１８に隣接して第１の支持部２０、凹部からなるリード挿入部２２が形成されている。挿入ポケット１８には電解コンデンサ８の部品本体部１０が収納され、支持部２０にはリード基部１４が載置され、さらに、リード挿入部２２にはリード端部１６が収納される。
【００２４】
また、この実施形態では、トレー６の裏面部にはトレー４側の挿入ポケット１８に対応して電解コンデンサ８の上に載置される載置部として、電解コンデンサ８を押さえる押え部２４が形成されているとともに、この押え部２４に隣接して第２の支持部２６が形成されている。押え部２４は電解コンデンサ８の部品本体部１０に当接され、支持部２６はリード基部１４上に当接される。即ち、電解コンデンサ８の部品本体部１０は、トレー４側の挿入ポケット１８とトレー６側の押え部２４とに挟まれて保持され、リード基部１４は、各支持部２０、２６間に挟まれて保持される。トレー４、６が弾性を持つ樹脂成形体であることから、トレー４、６を重ね合わせて保持すると、トレー４、６が備える弾性によって各電解コンデンサ８は弾力的な把持状態に維持される。
【００２５】
そして、トレー４、６の各周縁部には最も高い突部からなる枠部２８が形成され、各枠部２８の縁部にはフランジによって載置面部２９が形成されている。また、各トレー４、６が重ね合わされたとき、トレー４側の枠部２８がトレー６側の枠部２８の裏面側の空間部３０に進入する構成であり、トレー４の枠部２８の上面側の内壁部には段部３２が形成されている。トレー４の段部３２にはトレー６の枠部２８の下側の角部３４が当接されることにより、上側のトレー６が水平状態に維持される構成である。また、各枠部２８の頂部には、反転させた際に安定した載置状態を維持するため、水平面を成す載置面部３６が形成されている。
【００２６】
この場合、図１の（Ａ）では支持手段として例えば、作業テーブル３８上にトレー４を下側にして載置された搬送用トレー２を示しており、図１の（Ｂ）では搬送用トレー２を反転させ、作業テーブル３８上にトレー６を下側にして載置された状態を示している。共に搬送用トレー２内の複数の電解コンデンサ８は安定した収納状態が維持されている。この場合、トレー６の表面部には、図２及び図３に示すように、トレー４と同様の挿入ポケット１８、支持部２０及びリード挿入部２２が形成され、トレー４の裏面部には押え部２４及び支持部２６が形成されているので、上下反転しても、収納物に対して同様の保持状態が維持される。
【００２７】
斯かる構成において、搬送用トレー２への電解コンデンサ８の収納、搬送及び取出しの各方法を図１〜図３を参照して説明する。
【００２８】
(1) 収納工程
図２に示すように、作業テーブル３８にトレー４を載置し、その上面部を開放状態に設定する。この状態で各挿入ポケット１８に電解コンデンサ８の部品本体部１０を挿入し、この場合、電解コンデンサ８のリード部１２のリード基部１４を支持部２０に載置し、同時に、リード端部１６をリード挿入部２２に挿入することにより、電解コンデンサ８がトレー４に収納される。このような収納を繰り返すことにより、トレー４上に許容量の電解コンデンサ８が収納される。この収納完了後、トレー４と同形状のトレー６を１８０°回転させてトレー４に被せることにより、図１の（Ａ）に示すように、各電解コンデンサ８はトレー４、６で把持された状態となる。電解コンデンサ８の保持状態は既述の通りである。このような状態で搬送用トレー２とともに電解コンデンサ８が保管され又は搬送される。この場合、トレー４、６は重ねられて結合状態となるので、例えば、図１の（Ｂ）に示すように、反転された状態での保管及び搬送が可能である。そして、複数の電解コンデンサ８が収納された搬送用トレー２は複数段に積載することが可能であり、図示しない段ボール製や樹脂製の梱包箱に収納されて保管され、搬送される。この搬送用トレー２は、一対のトレー４、６を単位として用いることにより、トレー４上の電解コンデンサ８を確実に防護することができる。
【００２９】
(2) 取出し工程
搬送された搬送用トレー２は、電解コンデンサ８の収納時の状態から反転させ、図１の（Ｂ）に示すように、トレー６側を下側にして作業テーブル３８に設置した後、トレー６からトレー４を外すことができる。トレー４を外すと、図３に示すように、トレー６が蓋側トレーから載置側トレーに変化し、各電解コンデンサ８は押え部２４上に載置された状態となるとともに、支持部２６にリード基部１４が支持され、リード端部１６は支持部２６上から突出した状態となる。この状態では、各電解コンデンサ８が収納状態から剥き出し状態に変化しているので、その取出しは極めて容易に行うことができる。この場合、電解コンデンサ８の取出し及び搬送は図示しない搬送手段や手作業で容易に行え、その取出しの際に剥き出し状態の電解コンデンサ８やリード部１２に過剰な力が加えられることもなく、電解コンデンサ８の損傷等を防止することができる。即ち、製造時の信頼性を搬送時ないし実装時まで維持することができる。
（第２の実施形態）
本発明の電子部品の搬送用トレー及びその収納・取出方法の第２の実施形態について、図４〜図７を参照して説明する。図４はトレーの表面側の一部を示す斜視図、図５は電解コンデンサの収納状態の一部を示す斜視図、図６はトレーの裏面側の一部を示す斜視図、図７は電解コンデンサの取出し前の載置状態の一部を示す斜視図である。
【００３０】
トレー４には、図４に示すように、複数の挿入ポケット１８が立壁部４０、４２によって形成されているとともに、各挿入ポケット１８に共通のリード挿入部２２が溝によって形成されている。また、対向する立壁部４０の中途部にはその一部を突出させて各電解コンデンサ８を仕切る仕切り壁を兼ねるプラグ部４４が形成されている。なお、この実施形態では、トレー４がトレー６と同一形状で別体に形成されることから、挿入ポケット１８の底面部には後述のリブ４６、４８（図５）の形成のため、背面側に凹部４６Ａ、４８Ａが生じている。
【００３１】
また、トレー６には、図５に示すように、トレー４の挿入ポケット１８に対応する押え部２４が形成され、この押え部２４の頂部には電解コンデンサ８の部品本体部１０を支持するリブ４６、４８が所定の間隔を設けて平行に形成されている。また、各押え部２４の幅方向の間隔内にはプラグ部４４を嵌め込むソケット部５０が形成されている。プラグ部４４及びソケット部５０は相似形であって、両者の結合状態が密になる。
【００３２】
斯かる構成とすれば、図６に示すように、トレー４の各挿入ポケット１８に電解コンデンサ８の部品本体部１０を挿入すれば、支持部２０上にリード部１２のリード基部１４が載置されて支持されるとともに、リード端部１６がリード挿入部２２に挿入される。この場合、リード部１２が部品本体部１０の端面に直径方向に配置されているので、支持部２０に載置されたリード部１２が、部品本体部１０の回転を阻止する。この結果、挿入された電解コンデンサ８の回動が阻止される。そして、トレー４の上面部にトレー６が被せられ、電解コンデンサ８はトレー４側の挿入ポケット１８とトレー６側の押え部２４との間に把持され、支持部２０に載置されたリード部１２はその支持部２０、２６との間に把持される。
【００３３】
そして、搬送用トレー２を反転させてトレー６を下側にして設置し、トレー４をトレー６から外すと、図７に示すように、トレー６の押え部２４上に各電解コンデンサ８が載せられた状態で維持される。この場合、各押え部２４の頂面部に形成されているリブ４６、４８が部品本体部１０の移動防止として機能し、安定した載置状態が維持される。また、リード部１２は支持部２６に載置され、既述した支持部２０と同様に、リード部１２の形態と支持部２０の面部とによって部品本体部１０の回動が阻止され、しかも、リード端部１６は支持部２０から上方に突出した状態で維持される。即ち、各電解コンデンサ８はトレー６では、トレー４に収納された状態と異なり、剥き出し状態で維持される。この結果、各電解コンデンサ８をトレー６から容易に取り出すことができる。
【００３４】
そして、この搬送用トレー２において、トレー４、６を導電材料で形成し、又は選択的に支持部２０、２６の表面を導電材料で形成すれば、有極性電子部品である電解コンデンサ８の各リード部１２間をリード基部１４間で電気的に短絡させることができ、再起電圧等、蓄積電荷を放電させることができる。
【００３５】
次に、実施形態に示した搬送用トレー２について、変形例等について列挙して説明する。
【００３６】
(1) 実施形態では、トレー４、６を異なる符号を付して説明したが、これらトレー４、６は全く同一形状とすることができ、トレーの上面側の形状をトレー４、その下面側の形状をトレー６の形状に単一のトレーとして合成樹脂で形成することができ、左右又は前後に交互に重ね合わせることで電子部品の収納及び保持が可能である。
【００３７】
(2) １８０°回転されて積み重ねた際の上側にあるトレー４の支持部２６と、下側にあるトレー６の挿入ポケット２２の各位置、電解コンデンサ８のリード部１２のリード端部１６を挿入するリード挿入部２２の幅は任意に設定することが可能である。
【００３８】
(3) トレー４、６の形成材料には、段ボール等の紙材、合成樹脂材、カーボン等の導電性材料を混合した合成樹脂材の何れでもよい。                                            
【００３９】
(4) トレー４、６の全部又は部分に導電性を付与するには、トレー４、６の製造材料に導電フィラーを混入させる方法、導電層の印刷や導電性フィルムを蒸着や塗布等によって形成してもよい。
【００４０】
(5) また、実施形態では搬送用トレーに収納すべき電子部品として有極性電子部品である電解コンデンサを例に取って説明したが、本発明は電解コンデンサに限定されるものではなく、各種のコンデンサ、抵抗器等の電子部品の収納及び搬送に用いることができるものである。
【産業上の利用可能性】
【００４１】
本発明は、電解コンデンサ等の電子部品を収納し、搬送時の損傷を防止でき、しかも、実装等の電子部品の取出しを簡易化、迅速化することができ、機能性の高い搬送トレー及びその収納・取出方法を実現することができ、有用である。
【図面の簡単な説明】
【００４２】
【図１】本発明の第１の実施形態に係る搬送用トレーを示す断面図である。
【図２】電解コンデンサの収納時の搬送用トレーを示す断面図である。
【図３】電解コンデンサの取出し時の搬送用トレーを示す断面図である。
【図４】電解コンデンサの収納前の搬送用トレーの一部を示す斜視図である。
【図５】搬送用トレーの一部を示す斜視図である。
【図６】電解コンデンサの収納時の搬送用トレーの一部を示す斜視図である。
【図７】電解コンデンサの取出し時の搬送用トレーの一部を示す斜視図である。
【符号の説明】
【００４３】
２  搬送用トレー
４  第１のトレー
６  第２のトレー
８  電解コンデンサ（電子部品）
１０  部品本体部
１２  リード部
１８  挿入ポケット（挿入部）
２０  第１の支持部
２２  リード挿入部
２４  押え部（載置部）
２６  第２の支持部
【図１】
2005138873.tif 000003
【図２】
2005138873.tif 000004
【図３】
2005138873.tif 000005
【図４】
2005138873.tif 000006
【図５】
2005138873.tif 000007
【図６】
2005138873.tif 000008
【図７】
2005138873.tif 000009